(57)【要約】【課題】  有効表示領域内の画素形成領域外の領域の光もれの不均一性による表示むらをなくす。【解決手段】  表示面側の周辺部を除く中央部に画素形成領域面が形成されている液晶表示基板を、その画素形成領域面とこの画素形成領域面の周囲を露呈させて該周辺部の大部分を覆うパネルが配置されるものであって、前記液晶表示基板は、液晶を介して互いに対向して配置される透明基板のうち少なくとも一方の透明基板の液晶側の面に一方向に延在しかつこの方向に直交する方向に並設された信号配線層を備え、これら各信号配線層は該透明基板の周辺に形成される端子にまで延在されている液晶表示装置において、前記信号配線層は、それぞれ、その延在方向に沿ってそれぞれ同一の幅でかつ隣接する信号配線層と同一の離間距離をもって画素形成領域から前記パネルによって覆われる領域にまで延在されている。【選択図】        図１
2006023741.tif 000002
【特許請求の範囲】
【請求項１】
周辺部を除く中央部に画素形成領域面が形成されている液晶表示基板の表示面側に、その画素形成領域面とこの画素形成領域面の周囲を露呈させて該周辺部の大部分を覆うパネルが配置されるものであって、
前記液晶表示基板は、液晶を介して互いに対向して配置される透明基板のうち少なくとも一方の透明基板の液晶側の面に一方向に延在しかつこの方向に直交する方向に並設された信号配線層を備え、これら各信号配線層は該透明基板の周辺に形成される端子にまで延在されている液晶表示装置において、
前記端子のピッチは前記画素形成領域面における前記信号配線層のピッチよりも小さく、
前記信号配線層は、画素形成領域から前記パネルによって覆われる領域にまで延在されているとともに、シール材で囲まれた内側の前記液晶の存在する領域、かつ、前記パネルで覆われる領域で屈曲開始して前記端子に収束するとともに、
隣り合う前記信号配線層同士の間隙は、屈曲開始前では第１の離間距離であり、屈曲後は前記第１の離間距離とは異なる第２の離間距離であることを特徴とする液晶表示装置。
【発明の詳細な説明】
【技術分野】
【０００１】
本発明は、液晶表示装置に係り、特に、その液晶表示基板における信号配線層の改良に関する。
【背景技術】
【０００２】
液晶表示装置は、液晶を介して互いに対向配置される透明基板を外枠とする液晶表示基板を一構成部材とし例えば表示駆動回路等の他の部材とともにモジュール化された装置である。
【０００３】
そして、液晶表示基板に対して、その表示面側にはその周辺部を覆って実際の表示機能を有する画素形成領域面（マトリックス・アレイ領域面）を露呈させるようにしてパネル（化粧板）が配置されるようになっている。
【０００４】
ここで、画素形成領域面とはこの明細書において次のように定義づけたものである。
【０００５】
たとえば、液晶を介して互いに対向して配置される透明基板のうち、一方の透明基板の液晶側の面にｘ方向に延在しかつｙ方向に並設された信号配線層（透明導電層）を備え、他方の透明基板の液晶側の面にはｙ方向に延在しかつｘ方向に並設された信号配線層（透明導電層）を備えた液晶表示装置の場合、各透明基板のそれぞれの信号線の重畳部が画素を構成し、この画素はマトリックス配置されたものとなる。この場合において、マトリックス配置された画素の最外郭に位置づけられる画素を輪郭とする領域が画素形成領域をいう。
【０００６】
そして、この画素形成領域面を露呈させその周辺部を覆うパネルを配置させる際に、このパネルによって該画素形成領域面を少しでも覆ってしまうことがないように、該画素形成領域面を露呈させるパネルの開口はある程度の裕度を持たせている。
【０００７】
したがって、パネルから露呈される液晶表示基板の表示面（通常、有効表示領域という）は、該画素形成領域面はもちろんのことその周囲も若干露呈されることになる。
【０００８】
そして、このように該画素形成領域を含まないその周囲の領域を、以下この明細書において、便宜上、有効表示領域内の画素形成領域外の領域という。
【発明の開示】
【発明が解決しようとする課題】
【０００９】
しかしながら、このように構成された液晶表示装置において、その液晶表示基板の周辺に並設して形成される複数の端子からなる端子群は、その並設方向の長さを比較的小さくして形成するのが通常である。このようにして端子群の形成領域を小さくすることによって、実際に表示に寄与する領域（有効表示領域）の周辺の領域（通常、額縁と称する）における面積を小さくすることができるからである。
【００１０】
このため、液晶表示基板における各信号線層からそれぞれの端子に及ぶ配線層（信号線層の延在層）を互いに集束する方向に方向変換させて形成せざるを得ず、また、これにより各配線層の離間距離も均一でなくなってしまうことになる。このことは、画素形成領域における信号配線層のパターンと比較して不均一となることを意味する。
【００１１】
そして、このようなパターンで形成された配線層は、前記有効表示領域内の画素形成領域外の領域に存在しており、装置の表示面を観察する観察者の視野内にはいってしまい、バックライトからの光もれの不均一性による表示のむらとして認識されるようになる。
【００１２】
それ故、本発明はこのような事情に基づいてなされたものであり、有効表示領域内の画素形成領域外の領域における光もれの不均一性による表示むらをなくした液晶表示装置を提供することにある。
【課題を解決するための手段】
【００１３】
このような目的を達成するために、本発明は、基本的には、表示面側の周辺部を除く中央部に画素形成領域面が形成されている液晶表示基板を、その画素形成領域面とこの画素形成領域面の周囲を露呈させて該周辺部の大部分を覆うパネルが配置されるものであって、前記液晶表示基板は、液晶を介して互いに対向して配置される透明基板のうち少なくとも一方の透明基板の液晶側の面に一方向に延在しかつこの方向に直交する方向に並設された信号配線層を備え、これら各信号配線層は該透明基板の周辺に形成される端子にまで延在されている液晶表示装置において、前記信号配線層は、それぞれ、その延在方向に沿ってそれぞれ同一の幅でかつ隣接する信号配線層と同一の離間距離をもって画素形成領域から前記パネルによって覆われる領域にまで延在されていることを特徴とするものである。  
【００１４】
このように構成した液晶表示装置は、その表示面における画素形成領域から前記パネルによって覆われる領域、すなわち、有効表示領域内の画素形成領域外の領域において、該画素形成領域に形成されている信号配線層をその延在方向に沿ってそれぞれ同一の幅でかつ隣接する信号配線層と同一の離間距離をもって延在させて形成したものとなっている。
【００１５】
このため、この領域における配線層のパターンは画素形成領域の配線層のそれに比べてほとんど同じになり、光もれの不均一性による表示むらが生じるのを防止することができるようになる。
【発明の効果】
【００１６】
以上説明したことから明らかなように、本発明による液晶表示装置によれば、有効表示領域内の画素形成領域外の領域における光もれの不均一性による表示むらをなくすことができるようになる。
【発明を実施するための最良の形態】
【００１７】
図１は、本発明による液晶表示装置に組み込まれる液晶表示基板の一実施例を示す要部構成図である。同図（ａ）は液晶表示基板の矩形状をなす表示面の角部を示した平面図、（ｂ）は側面図である。
【００１８】
同図において、液晶表示基板１がある。液晶表示基板１は液晶を介して互いに対向配置された下ガラス基板２Ａと上ガラス基板２Ｂを外枠としている。
【００１９】
下ガラス基板２Ａは上ガラス基板２Ｂよりも図中ｙ方向に若干延在されており、上ガラス基板２Ｂは下ガラス基板２Ａよりも図中ｘ方向に若干延在されて重畳されている。一方のガラス基板に対する他方のガラス基板の延在部におけるガラス基板面は後に詳述するように端子群が形成される領域となっている。
【００２０】
上ガラス基板２Ｂの液晶側の面（下ガラス基板２Ａと対向する面）には、図中ｘ方向に延在しかつｙ方向に並設された信号配線層３が形成されている。また、下ガラス基板２Ａの液晶側の面（上ガラス基板２Ｂと対向する面）には、図中ｙ方向に延在しかつｘ方向に並設された信号配線層４が形成されている。
【００２１】
これら信号配線層３および４は、そのいずれも例えばＩＴＯからなる透明導電層から構成されている。
【００２２】
この場合において、信号配線層３と信号配線層４との重畳領域（図中の散点領域）にて液晶を介した画素が形成され、この画素はマトリックス状に配列されるようになる。そして、これらマトリックス状に配列された画素の最外郭に位置づけられる画素を輪郭とする領域によって画素形成領域Ｐを形成するようになっている。
【００２３】
そして、信号配線層３および信号配線層４はそれぞれ該画素形成領域９を越えてその延在方向にそのまま同一の幅を維持させたまま延在されている。このような延在の程度は、この実施例において重要なものとなっており、そのことについては後に詳述する。
【００２４】
さらに、このようにして延在された信号配線層３はその幅が小さく形成されている配線層３ａを介して端子５にまで引き出されている。この端子５は、上述したように上ガラス基板２Ｂの下ガラス基板２Ａよりも延在する面に形成されている。同様に、信号配線層４はその幅が小さく形成されている配線層４ａを介して端子６にまで引き出されている。この端子６は、上述したように下ガラス基板２Ａの上ガラス基板２Ｂよりも延在する面に形成されている。
【００２５】
この場合、端子５が並設されて形成された端子群、および端子６が並設されて形成された端子群は、それぞれ、それらの並設方向の長さを比較的小さくして形成されている。
【００２６】
このため、信号線層３からそれぞれの端子５に及ぶ配線層３ａを互いに集束する方向に方向変換させて形成せざるを得ないものとなっている。このことは、信号線層４からそれぞれの端子６に及ぶ配線層４ａにおいても同様となっている。
【００２７】
そして、このように形成された液晶表示基板１の表示面側には、パネル８が配置されるようになってる。このパネル３は液晶表示基板１における画素形成領域Ｐを露呈させ、その周辺を覆うように開口が形成されたものであるが、このパネル８によって該画素形成領域Ｐを少しでも覆ってしまうことがないように、該開口はある程度の裕度を持たせて形成されている。
【００２８】
したがって、これにより、パネル８から露呈される液晶表示基板１の表示有効領域は、その画素形成領域Ｐはもちろんのことその周囲の領域、すなわち有効表示領域内の画素形成領域外の領域Ｑをも若干露呈されることになる。
【００２９】
図２は、図１のII−II線における断面図を拡大して示したものであり、この図からパネル８の開口８ａと有効表示領域内の画素形成領域外の領域Ｑとの位置関係が明瞭になる。なお、図２において、符号１５は上ガラス基板２Ｂと下ガラス基板Ａとの間の液晶１４を封止するシール材となっている。
【００３０】
そして、この実施例では、特に、前記信号配線層３、４はそのいずれにおいてもその延在方向に沿ってそれぞれ同一の幅でかつ隣接する信号配線層と同一の離間距離をもって画素形成領域Ｐから前記パネル８によって覆われる領域にまで延在されている。
【００３１】
このような実施例のように構成した液晶表示装置は、その表示面における画素形成領域から前記パネル８によって覆われる領域、すなわち、有効表示領域内の画素形成領域外の領域Ｑにおいて、該画素形成領域Ｐに形成されている信号配線層３、４のそれぞれをその延在方向に沿ってそれぞれ同一の幅でかつ隣接する信号配線層と同一の離間距離をもって延在させて形成したものとなっている。
【００３２】
このため、この領域における配線層のパターンは画素形成領域Ｐの配線層のそれに比べてほとんど同じになり、したがって、光もれの不均一性による表示むらが生じるのを防止することができるようになる。
【００３３】
図４は、図１と対応させた従来の液晶表示装置であり、その有効表示領域内の画素形成領域外の領域Ｑに位置づけられる配線層の構成の違いが明瞭になる。
【００３４】
図３は、本発明の他の実施例を示す平面図で図１と対応させたものである。図１と異なる構成は、それぞれ端部に位置づけられる信号配線層３、４のそれぞれの延在方向に沿った延在によって形成される比較的面積の大きな何も形成されていない領域に、信号配線層３、４と同材料の層を形成して、前記領域Ｑにおける配線層のパターンの不均一性を少しでも解消せんとしたものである。
【００３５】
上述した実施例では、信号配線層を、それぞれ、その延在方向に沿ってそのままの幅で画素形成領域からパネルによって覆われる領域にまで延在されているものであるが、これに限定されることはなく、画素形成領域における信号線の幅よりも小さく形成してもよい。このようにしても、それぞれの信号配線層が同一の幅でかつ隣接するもの同士を同一の離間距離をもって形成することにより、この部分の領域における表示むらを防止することができるからである。
【００３６】
また、上述した実施例では、互いに対向する透明基板のそれぞれの液晶側の面に並設された信号線を備える液晶表示基板を対象として説明したものであるが、一方の透明基板面にのみ信号線が形成された液晶表示基板においても適用できることはいうまでもない。このような液晶表示基板としては、該一方の透明基板面にゲート信号線群とドレイン信号線群とが層間絶縁膜を介して交差して形成され（他方の透明基板面にはコモン電極が形成されてる）、同一の面に形成されたスイッチング素子（薄膜トランジスタ：ＴＦＴ）によってドレイン信号線群からの映像信号を各ゲート信号線に対応する画素を駆動させるいわゆるＴＦＴ型液晶表示基板がある。
【図面の簡単な説明】
【００３７】
【図１】（ａ）および（ｂ）は、それぞれ本発明による液晶表示装置の一実施例を示す要部平面図および側面図である。
【図２】図１のII−II線における断面図である。
【図３】本発明の他の実施例を示す平面図である。
【図４】従来の液晶表示装置の一例を示す平面図である。
【符号の説明】
【００３８】
１…液晶表示基板、２Ａ…下ガラス基板、２Ｂ…上ガラス基板、３，４…信号配線層、８…パネル、Ｐ…画素形成領域、Ｑ…有効表示領域内の画素形成領域外の領域。
【図１】
2006023741.tif 000003
【図２】
2006023741.tif 000004
【図３】
2006023741.tif 000005
【図４】
2006023741.tif 000006